(57)【要約】【課題】運転者が車両からの警告を容易に把握できる車両用計器装置および車両用警告ユニットを提供する。【解決手段】車両用計器装置１は、光源２と、警告を行うときに光源２を点灯させる又は光源２の点灯色を変化させる制御手段と、を備える。光源２は、点灯時において、車両のカウル４に設けられた、光源２からの光を運転者側に拡散反射する拡散反射部５に向けて光を出射する。また、車両用警告ユニットは、車両用計器装置１と、拡散反射部５と、を備える。【選択図】図１
2015087505.tif 000002
【特許請求の範囲】
【請求項１】
光源と、警告を行うときに前記光源を点灯させる又は前記光源の点灯色を変化させる制御手段と、を備える車両用計器装置であって、
前記光源は、点灯時において、車両のカウルに設けられた、当該光源からの光を運転者側に拡散反射する拡散反射部に向けて光を出射する、
ことを特徴とする車両用計器装置。
【請求項２】
前記光源からの光は、導光部材を介して導光されて前記拡散反射部に向けて出射される、
ことを特徴とする請求項１に記載の車両用計器装置。
【請求項３】
前記導光部材で導光して前記拡散反射部に向けて出射される光の光軸と、前記拡散反射部で拡散反射して前記運転者側に拡散反射する光の光軸とのなす角が鈍角をなす、
ことを特徴とする請求項２に記載の車両用計器装置。
【請求項４】
前記導光部材は、前記車両用計器装置が備えるケースの透明部分と一体に成形して構成される、
ことを特徴とする請求項２または３に記載の車両用計器装置。
【請求項５】
請求項１乃至４の何れか１項に記載の車両用計器装置と、前記拡散反射部と、を備える、
ことを特徴とする車両用警告ユニット。
【発明の詳細な説明】
【技術分野】
【０００１】
本発明は車両用計器装置および車両用警告ユニットに関する。
【背景技術】
【０００２】
車両に搭載される装置の中には、車両周囲の情報や車両自体の情報に基づき警告を発する装置がある。
例えば特許文献１に開示された運転支援装置は、車両前方を撮像する撮像装置と、車両のウインドシールドの下方に配置された複数の微小光源と、各微小光源の明滅を制御する制御部とを備える。制御部は、撮像装置から得た映像データに基づき、微小光源のいずれを点灯させるかを決定し、点灯による光をウインドシールドに反射させてその反射光を運転者に視認させ、点灯している微小光源の虚像の位置によって運転者に車両前方の情報を提供するようにしている。
【先行技術文献】
【特許文献】
【０００３】
【特許文献１】特開２００９−１２３０９３号公報
【発明の概要】
【発明が解決しようとする課題】
【０００４】
しかし、特許文献１に記載されている運転支援装置は、ウインドシールドの前方の景色に重ね合わせて表示される虚像によって情報を運転者に提供するため、例えば、太陽光直下等の外光が強い環境下では、情報が視認しづらくなる。そのため、運転者が車両からの警告を容易に把握できない場合があった。
【０００５】
本発明は、上記現状に鑑みてなされたものであり、運転者が車両からの警告を容易に把握できる車両用計器装置および車両用警告ユニットを提供することを目的とする。
【課題を解決するための手段】
【０００６】
上記目的を達成するため、本発明の第１の観点に係る車両用計器装置は、
光源と、警告を行うときに前記光源を点灯させる又は前記光源の点灯色を変化させる制御手段と、を備える車両用計器装置であって、
前記光源は、点灯時において、車両のカウルに設けられた、当該光源からの光を運転者側に拡散反射する拡散反射部に向けて光を出射する、
ことを特徴とする。
【０００７】
また、上記目的を達成するため、本発明の第２の観点に係る車両用警告ユニットは、前記車両用計器装置と、前記拡散反射部と、を備える、
ことを特徴とする。
【発明の効果】
【０００８】
本発明によれば、運転者が車両からの警告を容易に把握できる。
【図面の簡単な説明】
【０００９】
【図１】本発明の車両用計器装置の一実施形態に係る概略構成図であり、図３に示すＡ−Ａ線概略断面図である。
【図２】本発明の一実施形態に係る光源部分の拡大説明図である。
【図３】本発明の一実施形態に係る警告表示状態の説明図である。
【図４】本発明の一実施形態に係る車両用計器装置の概略ブロック図である。
【図５】本発明の他の一実施形態に係る光源部分の拡大説明図である。
【図６】本発明の車両用計器装置の他の一実施形態に係る概略構成図である。
【図７】本発明の車両用計器装置のさらに他の一実施形態に係る概略構成図である。
【図８】本発明の車両用計器装置の他の一実施形態に係る概略構成図である。
【発明を実施するための形態】
【００１０】
以下に、本発明の一実施形態に係る車両用計器装置を図１〜図４を参照して説明する。なお、以下の説明では、車両用計器装置１を正面視したときの（つまり、ユーザー（運転者）が車両用計器装置１を正面から見て警告情報の存在を確認する場合の）手前側を「表」といい、奥側を「裏」という。
【００１１】
この実施形態にかかる車両用計器装置１は、例えば二輪車等の車両に搭載され、速度計やエンジン回転計などの複数の計器を組み合わせた計器装置（コンビネーションメータ）であって、車両速度やエンジン回転数などを運転者に報知するのに加えて、拡散反射部で拡散反射させた光で運転者に警告情報の存在を視認させるものである。これにより、運転者が車両からの警告を容易に把握できる。
【００１２】
車両用計器装置１は、運転者に警告を行う場合に、制御手段３により、光源２を所定の点灯色で点灯させる（あるいは点滅発光させる）ことで、表示光Ｌを風防用のカウル４に設けた拡散反射部５に向け出射し、拡散反射部５で運転者側に拡散反射させることで、運転者に警告情報の存在を視認させるものである。拡散反射部５と車両用計器装置１とで車両用警告ユニットは構成されている
【００１３】
運転者への警告情報は、例えば、赤外線カメラによる道路上の障害物（例えば前方車両、後方からの接近車両）の存在の情報、ウインカーの消灯忘れの情報、予め設定した車両速度やエンジン回転数に近づいていることや超えたことの情報などを挙げることができる。
【００１４】
まず、車両用計器装置１の構成について説明する。
車両用計器装置１は、二輪車に搭載され、速度計などの計器ユニット６と、警告を行うための光を発する光源２と、を備える。また、計器ユニット６は、制御手段３（図４参照）を備える。制御手段３は、計器ユニット６の動作を制御すると共に、所定の警告を行うときに光源２を点灯させたり、点灯色を変化させたり、点滅発光させる。
【００１５】
計器ユニット６は、二輪車の車両速度やエンジン回転数などの車両情報を表示する計器を複数組み合わせたものであるが、各計器は、検出する車両情報が異なるだけで、同一構造であるので、エンジン回転計（タコメータ）部分を例に説明する。
計器ユニット６は、図１に示すように、表側から順に、ケース７、指針８、文字板９および回路基板１０を備える。なお、図１では、後に説明する導光部材１２等の詳細構造は省略している。
【００１６】
回路基板１０は、ガラスエポキシ樹脂（ＧＦＲＰ：Glass Fiber Reinforced Plastics）からなる絶縁性を有する板状の基材に各種の配線がプリントされて構成される。図１に示すように、回路基板１０の裏側には例えばステッピングモータからなる駆動部１１が実装され、表側には光源２が実装されている。また、図示しないが制御手段３も回路基板１０の適宜の位置に実装されている。
【００１７】
文字板９は、回路基板１０の表側に位置し、例えばポリカーボネート（Polycarbonate）樹脂からなる透明に形成された板材に、遮光性の印刷層が形成されてなる。文字板９には、指針８の指示対象であって計測量を報知する指標となる指標部（目盛、数値等からなる）が設けられ、指針８の指示値の目安となる。
指針８は、文字板９の表側に位置し、文字板９に形成された指標部を指示する。指針８は、駆動部１１の回転軸に連結されており、駆動部１１の動力によって回転される。駆動部１１は、制御手段３の制御のもとで計測量（エンジン回転数）に応じて回転軸を回転させるため、これに伴って指標部を指示する指針８も文字板９上で回転する。運転者は、指針８と指標部とを対比判読し、計測量を認識する。
【００１８】
ケース７は、上ケース７ａと下ケース７ｂとで構成され、前述の指針８、文字板９及び回路基板１０等を内部に収容する。したがって、回路基板１０に実装されている光源２もケース７内に収容されている。また、ケース７内には、所定の樹脂で形成され、回路基板１０を保持する保持部材 ７ｃが配置されている。保持部材７ｃは、下ケース７ｂの表側に位置する。下ケース７ｂは、所定の樹脂で形成され、遮光性を有する。上ケース７ａは、保持部材７ｃの表側に位置し、下ケース７ｂと連結される。上ケース７ａは、ＰＭＭＡ（Polymethyl Methacrylate）樹脂等で形成され、透光性を有する。上ケース７ａは、無色もしくは暗色系スモーク色で形成されている。上ケース７ａと下ケース７ｂとの間には、弾性変形可能なパッキンＰ（図２参照）が介在しており、各部材を内部に収容する略密閉状のケース７が構成されている。
このケース７で光源２を覆うことで、防水および防塵が図られ、特に屋根などがない二輪車において光源２の雨水などからの保護が図られている。
【００１９】
光源２は、例えばＬＥＤ（Light Emitting Diode）から構成されている。光源２は、単数で１つの色調(点灯色）の光を発してもよいし、複数あり、各々が異なる色調(点灯色）の光を発してもよい。また、三原色の光源の組み合わせにより色調を変えるようにしても良い。
【００２０】
制御手段３は、ＣＰＵ（Central Processing Unit）、ＲＡＭ（Random Access Memory）、ＲＯＭ（Read Only Memory）等を有するマイクロコンピュータからなる。制御手段３は、車両用計器装置１が搭載された車両の車両ＥＣＵ（Electronic Control Unit）２０（図４参照）から車両に関する各種情報を取得し、取得した情報に基づいて、警告する必要があるか否かを判別する。そして、警告する必要があると判別した場合、警告内容に応じて、光源２を点灯（点滅も含む）させたり、点灯色を変更したり、光源２の点灯間隔を変化させたりする。例えば、制御手段３は、車両ＥＣＵ２０のうちエンジンＥＣＵからエンジン回転数を示す情報を取得し、エンジン回転数が予め定められた値を超えていた場合は、光源２を所定の色（例えば、赤色）で点灯（または点滅させる）。なお、車両ＥＣＵ２０側で警告が必要であるかを判別し、制御手段３は、車両ＥＣＵ２０から警告が必要である旨の情報を取得したことに応じて、光源２を発光制御してもよい。また、制御手段３は、前述のように駆動部１１を駆動し、指針８を計測量に応じて回転させる。
【００２１】
制御手段３が取得する警告情報としては、車両周囲の情報と車両自体の情報とがある。
車両周囲の情報としては、例えば、車両の前方に障害物があること、車両の後方から接近する車両があること等である。これらの情報は、例えば赤外線カメラによる道路上の前方の障害物の画像情報や後方からの接近車両などの撮影情報をそれぞれ画像処理することにより得られる。
また、車両自体の情報としては、例えば、ウインカーの消灯忘れの情報、車両速度が所定値（例えば、法定速度）を超えた（または近づいた）ことを知らせる情報、エンジン回転数が所定値を超えた（または近づいた）ことを知らせる情報等である。これら所定値は、予め制御手段３に記憶されており、制御手段３は、車両ＥＣＵ２０側から取得した、車両速度、エンジン回転数と比較することで、これらの警告の必要があるかを判別する。
【００２２】
光源２から発せられる表示光Ｌは、例えば、図２に示すように、計器ユニット６のケース７の上ケース７ａと一体的に形成された導光部材１２を介してケース７の外側に導光される。また、導光部材１２は、ケース７の外側への導光に加えて、左右方向（計器ユニット６の左右方向で車両の横方向）に広げて出射する。導光部材１２が上ケース７ａと一体的に形成されることにより、防水・防塵構造を新たに設けなくとも済む。そのため、防水・防塵構造を考慮しても組み付けの構造が複雑化することを回避できる。このように上ケース７ａと一体的に形成された導光部材１２によれば、簡単な構造にて導光構造を実現できる。
導光部材１２は、図２に示すように、光源２から表側に発せられる表示光Ｌを、計器ユニット６の前方側（運転者から見ての前方側）に導き、さらに、前方側から表側に導光して出射するように、断面形状が略Ｓ字状に形成してある。
また、導光部材１２は、光を集光／拡散するため、光源２からの光の入射面、または出射面が、例えば半円状の溝を並設した形状や半円状の突条 を並設した形状などの凹凸形状（図示せず）に形成される。これにより、導光部材１２から出射する表示光Ｌは、左右方向（横方向）に拡散されて出射される。この導光して出射される表示光Ｌは、導光部材１２で車両の前後方向を中心とした左右対称の２箇所に出射される。
【００２３】
このような導光部材１２により、光源２から発する表示光Ｌの方向（表側や前方側）にかかわらず、出射方向を所定の方向に変えて左右対称の２箇所に横方向に広げて出射することができる。
【００２４】
光源２から導光部材１２を介して出射される表示光Ｌは、車両に搭乗した運転者から見て計器ユニット６の前方に設けられる風防用のカウル４の背面（運転者側の面）の２箇所の拡散反射部５（図３参照）に向けて出射される。
【００２５】
風防用のカウル４は、例えばポリカーボネート樹脂からなり、車両前方に配置され、計器ユニット６やハンドルなどにおいて、運転の妨げとなる要因、例えば風雨の影響をなくすためのものである。カウル４は、暗色系のスモークもしくは暗色系の不透過材で形成され、拡散反射部５に出射される光が車両の前方に突き抜けることを防止し、他者、特に対向車の搭乗者への表示光Ｌの影響を回避する。
【００２６】
拡散反射部５は、光源２からの表示光Ｌを運転者側に拡散反射するもので、表面が拡散反射面としてある。この拡散反射面は、例えば表面にシボによる凹凸が形成されたり、ダイヤカットなどの凹凸が形成されている。拡散反射面は、他の表面加工や表面処理であっても良く、光源２からの表示光Ｌを拡散し反射することができるものであれば良い。また、拡散反射部５を蒸着等により鏡面としても良い。
【００２７】
拡散反射部５で拡散反射された表示光Ｌは、直接運転者に視認される。この拡散反射された表示光Ｌは、図３に示すように、カウル４の背面と計器ユニット６との間を照明することで警告表示として運転者に視認される。
【００２８】
このように構成した車両用計器装置１による運転者への警告について説明する。
道路上の障害物、例えば前方車両の存在を警告する場合には、制御手段３は、車両に搭載した赤外線カメラからの画像情報を取得し、公知の画像処理により前方車両の存在を検知する。制御手段３は、検知した前方車両の存在に基づき、光源２の点灯もしくは、点滅発光を行う。これにより光源２から出射された表示光Ｌは、導光部材１２に導かれ、カウル４の背面側に位置する拡散反射部５に到達する。拡散反射部５は表面が拡散反射面としてあるので、光源２からの表示光Ｌが拡散されて反射され、広い照射面で点灯もしくは点滅発光した状態となる。これにより、運転者は、カウル４の背面の拡散反射部５の点灯状態の広い照射面の表示光Ｌもしくは、点滅発光した状態の広い照射面の表示光Ｌ（警告表示）を直接視認することができ、警告情報の存在を知ることができる。
そして、この車両用計器装置１で、道路上の障害物の存在の警告情報の表示を、予め光源２の点灯もしくは、点滅発光の何れかとし、その場合の色調を予め定めておき、例えば赤色の点滅としておくことで、運転者は、警告情報が道路上の障害物の存在であるかを知ることができる。
【００２９】
また、警告情報の表示例として、例えば二輪車でのウインカーの消灯忘れを警告する場合には、制御手段３は、ウインカーのＯＮ動作と連動させて光源２を点灯（点滅も含む）させる。これにより、上述したのと同様に、光源２からの表示光Ｌは、拡散反射部５で反射し、運転者に視認される。これにより、運転者は、カウル４の背面の拡散反射部５の点灯状態の広い照射面の表示光Ｌ（警告表示）もしくは、点滅発光した状態の広い照射面の表示光Ｌ（警告表示）を直接視認することができ、警告情報の存在を知ることができる。
そして、この車両用計器装置１では、ウインカーの消灯忘れの警告情報の表示を、予め光源２の点灯もしくは、点滅発光の何れかとし、その場合の色調を予め定めておき、例えば黄色の点滅としておくことで、運転者は、警告情報がウインカーの消灯忘れであるかを知ることができる。
【００３０】
なお、警告情報の表示は、表示すべき種類に応じて色調（点灯色）を変えたり、点灯と点滅発光、点滅発光の点滅周期を変えることを組合わせることで、複数の異なる警告情報を区別して表示することができる。
【００３１】
このような車両用計器装置１によれば、計器ユニット６とは別に、カウル４の背面の拡散反射部５に光源２からの表示光Ｌを出射して、運転者側に拡散反射させて警告情報の存在を表示するようにしたので、広い照射面積を確保して太陽光の直下等、外光が強い環境下であっても確実に反射した表示光Ｌの点灯や点滅発光、点灯色の変更や点滅発光の周期の変更から運転者が直接視認して警告情報の存在を知ることができる。これにより、運転者が車両からの警告を容易に把握できる。
また、光源２や制御手段３を計器ユニット６の回路基板１０に実装してケース７で覆ってあるので、防水性や防塵性を確保することができ、二輪車でも支障なく搭載することができる。
さらに、光源２からの表示光Ｌを導光部材１２を介して拡散反射部５に出射することで、導光部材１２により光を屈折させたり、反射させて導光することができ、回路基板１０への光源２の実装方向にかかわらず、光源２から拡散反射部５への表示光Ｌの出射方向を自由に設定することができる。
【００３２】
次に、この発明の車両用計器装置の他の実施形態について、図５により説明する。なお、既に説明した実施形態と同一部分には同一記号を記し、重複する説明は省略する。
この車両用計器装置１では、光源２からの表示光Ｌを計器ユニット６のケース７外に出射するための導光部材１２Ａの構成が異なる。この導光部材１２Ａは、計器ユニット６のケース７の上ケース７ａと一体的に形成され、ケース７の外側への表示光Ｌの導光に加えて左右方向（計器ユニット６の左右方向で車両の横方向）に広げて出射する。導光部材１２Ａは、図５に示すように、光源２から回路基板１０と平行に前方（運転者からみて前方）に出射される表示光Ｌを、ケース７の外側に導光し、拡散反射部５に向けて出射するように、断面形状が略直角台形状に形成してある。導光部材１２Ａにも、光を集光／拡散するため、光源２からの表示光Ｌの入射面、または出射面が、例えば半円状の溝を並設した形状や半円状の突条を並設した形状などの凹凸形状（図示せず）に形成される。これにより、導光部材１２Ａから出射する光は、左右方向（横方向）に広げられて出射される。この導光して出射される表示光Ｌは、導光部材１２Ａで車両の前後方向を中心とした左右対称の２箇所に出射される。
このような導光部材１２Ａにより、光源２から発する表示光Ｌの方向が回路基板１０と平行な方向（例えば、運転者からみて前方向）であっても、出射方向を所定の方向に変えて左右対称の２箇所に横方向に広げて出射することができる。
なお、この車両用計器装置１は、導光部材１２Ａ以外の構成は、既に説明した上記の実施の形態と同一である。
【００３３】
このような導光部材１２Ａを備えた車両用計器装置１によれば、カウル４の背面の拡散反射部５に光源２からの表示光Ｌを出射して、運転者側に拡散反射させて警告情報の存在を表示することができる。また、表示光Ｌは、広い照射面積を確保して表示することができ、これにより、運転者は、太陽光の直下等、外光が強い環境下であっても確実に反射した表示光Ｌの点灯や点滅発光、点灯色の変更や点滅発光の周期の変更から直接視認して警告情報の存在を知ることができる。
また、光源２や制御手段３を計器ユニット６の回路基板１０に実装してケース７で覆ってあるので、防水性や防塵性を確保することができ、二輪車でも支障なく搭載することができる。
さらに、光源２からの表示光Ｌを導光部材１２Ａを介して拡散反射部５に出射することで、導光部材１２Ａにより表示光Ｌを屈折させたり、反射させて導光することができ、回路基板１０への光源２の実装方向にかかわらず、光源２から拡散反射部５への表示光Ｌの出射方向を自由に設定することができる。
【００３４】
次に、この発明の車両用計器装置のさらに他の実施形態について、図６により説明する。なお、既に説明した各実施形態と同一部分には同一記号を記し、重複する説明は省略する。
この車両用計器装置１では、拡散反射部５での反射効率を高めることで、運転者の視認性を高めたものである。
車両用計器装置１では、既に説明したように、拡散反射部５で拡散反射された表示光Ｌは、カウル４の背面と計器ユニット６との間を照明することで、直接運転者に視認される。この表示光Ｌは、拡散反射部５に入射する光と拡散反射して出射する光の光軸のなす角度を鈍角とすることで反射損失を抑えている。
【００３５】
そこで、この車両用計器装置１では、図６に示すように、光源２から拡散反射部５に出射される表示光Ｌの光軸と拡散反射される表示光Ｌの光軸のなす角度を鈍角とするように、例えば、断面形状が略Ｌ字状に成形した導光部材１２Ｂを用いる。この導光部材１２Ｂは、例えば、ケース７とは別体に成形され、上ケース７ａと下ケース７ｂとの間に挟まれて略密閉状態で固定される。導光部材１２Ｂは、入射光と反射光との光軸のなす角度が鈍角となるように導光するのに加え、左右方向（計器ユニット６の左右方向で車両の横方向）に広げて出射する。この導光して出射される表示光Ｌは、導光部材１２Ｂで車両の前後方向を中心とした左右対称の２箇所に出射される。なお、導光部材１２Ｂは、ケース７の上ケース７ａと一体に形成してもよい。
この導光部材１２Ｂにより、拡散反射部５に単に光源２からの表示光Ｌを入射する場合に比べて反射損失を抑えることができ、運転者は表示光Ｌを確実に視認することができる。これにより、運転者が車両からの警告を容易に把握できる。
なお、この車両用計器装置１は、導光部材１２Ｂを用いて光源からの表示光Ｌの入射角を調整して設定する以外の構成は、既に説明した上記の実施の形態と同一である。
【００３６】
このような導光部材１２Ｂを備えた車両用計器装置１によれば、カウル４の背面の拡散反射部５に光源２からの入射光と拡散反射部５で拡散反射される表示光Ｌの光軸のなす角度を鈍角とすることで、反射損失を抑えて拡散反射させることができる。これにより、運転者に確実に警告情報の存在を視認させることができる。また、反射効率が高く広い照射面積の表示光Ｌとなり、太陽光の直下等の外光が強い環境下であっても確実に表示光Ｌの点灯や点滅発光、点灯色の変更や点滅発光の周期の変更から運転者が警告情報の存在を知ることができる。
また、導光部材１２Ｂをケース７に挟んで固定してケース７内を略密閉状態にでき、光源２や制御手段３を計器ユニット６の回路基板１０に実装してケース７で覆ってあるので、防水性や防塵性を確保することができ、二輪車でも支障なく搭載することができる。
【００３７】
次に、この発明の車両用計器装置のさらに他の実施形態について、図７により説明する。なお、既に説明した各実施形態と同一部分には同一記号を記し、重複する説明は省略する。
この車両用計器装置１では、光源２から発せられる表示光Ｌの光軸方向が異なり、拡散反射部５に入射する表示光Ｌと拡散反射部５で反射する表示光Ｌの光軸のなす角度を鈍角とする導光部材１２Ｃの形状が変えてある。
この車両用計器装置１では、回路基板１０に実装された光源２から発せられる光の光軸は、回路基板１０と垂直な表側の方向とされている。導光部材１２Ｃは、光源２から表側に出射される表示光Ｌをの表示光Ｌの光軸と拡散反射部５で反射する表示光Ｌの光軸のなす角度が鈍角となるように、例えば断面形状が略Ｓ字状に形成されている。導光部材１２Ｃは、例えば、ケース７とは別体に成形され、上ケース７ａと下ケース７ｂとの間に挟まれて略密閉状態で固定される。導光部材１２Ｃは、入射光と反射光との光軸のなす角度が鈍角となるように導光するのに加え、左右方向（計器ユニット６の左右方向で車両の横方向）に広げて出射する。この導光して出射される表示光Ｌは、導光部材１２Ｃで車両の前後方向を中心とした左右対称の２箇所に出射される。なお、導光部材１２Ｃは、ケース７の上ケース７ａと一体に形成してもよい。
この導光部材１２Ｃにより、拡散反射部５に単に光源２からの表示光Ｌを入射する場合に比べて反射損失を抑えることができ、運転者は表示光Ｌを確実に視認することができる。これにより、運転者が車両からの警告を容易に把握できる。
なお、この車両用計器装置１は、導光部材１２Ｃを用いて光源からの表示光Ｌの入射角を調整して鈍角に設定する以外の構成は、既に説明した上記の実施の形態と同一である。
【００３８】
このような導光部材１２Ｃを備えた車両用計器装置１によれば、カウル４の背面の拡散反射部５に光源２からの入射光と拡散反射部５で拡散反射される表示光Ｌの光軸のなす角度を鈍角とすることで、反射損失を抑えて拡散反射させることができる。これにより、運転者に確実に警告情報の存在を視認させることができる。また、反射効率が高く広い照射面積の表示光Ｌとなり、太陽光の直下等の外光が強い環境下であっても確実に表示光Ｌの点灯や点滅発光、点灯色の変更や点滅発光の周期の変更から運転者が警告情報の存在を知ることができる。
また、導光部材１２Ｃをケース７に挟んで固定してあり、ケース７内を略密閉状態にでき、光源２や制御手段３を計器ユニット６の回路基板１０に実装してケース７で覆ってあるので、防水性や防塵性を確保することができ、二輪車でも支障なく搭載することができる。
【００３９】
次に、この発明の車両用計器装置の他の実施形態について、図８により説明する。なお、既に説明した各実施形態と同一部分には同一記号を記し、重複する説明は省略する。
この車両用計器装置１では、拡散反射部５での反射効率を一層高めるため、拡散反射部５で全反射させるものである。
そこで、この車両用計器装置１では、カウル４の背面に別体に成形した突出部材１４が取り付けてあり、突出部材１４に拡散反射部５が設けられる。この突出部材１４は、拡散反射部５での法線に対して表示光Ｌの入射角と反射角がほぼ同一となるように、横断面形状が略３角形状とされて底辺部分がカウル４の背面に取り付けられて運転者側に突き出している。突出部材１４の１つの辺部分に拡散反射部５が設けられ、光源２と運転者の視線方向との間に配置され、拡散反射部５で全反射させる。これにより、表示光Ｌを効率よく反射させることができ、運転者は強い表示光Ｌで確実に警告情報の存在を視認することができる。なお、突出部材１４は、カウル４とは別体に成形したものをカウル４に取り付けたり、カウル４と一体に成形したもののいずれでも良い。また、突出部材１４に一体に拡散反射部５を設けても良く、別体したものを設けても良い。
なお、この車両用計器装置１は、突出部材１４に拡散反射部５を設けて光源からの表示光Ｌの入射角と反射角を調整して全反射させる以外の構成は、既に説明した上記の実施の形態と同一である。
【００４０】
このような突出部材１４を介して全反射させる拡散反射部５を備えた車両用計器装置１によれば、カウル４の背面の拡散反射部５に光源２からの表示光Ｌを出射して、運転者側に全反射により高効率で拡散反射させて警告情報の存在を表示することができる。また、反射効率が高く広い照射面積の表示光Ｌとなり、太陽光の直下等の外光が強い環境下であっても確実に表示光Ｌの点灯や点滅発光、点灯色の変更や点滅発光の周期の変更から運転者が警告情報の存在を知ることができる。
【００４１】
なお、上記実施の形態では、車両用計器装置１を構成する制御手段３を計器ユニット６のメータ用の制御部と兼用して、光源２の点灯、点滅発光などを制御するようにしたが、別に用意した制御手段を回路基板１０などに実装するようにしても良い。
また、光源２からの光を運転者側に拡散反射させる拡散反射部５は、必ずしも計器ユニット６の前方のカウル４の背面でなくとも良く、運転者側から視認できるカウル４の背面であれば良い。
また、導光部材１２、１２Ａ、１２Ｂ、１２Ｃの形状は、上記の形状に限らず、光源２からの表示光Ｌを、ケース７の外側の所定の方向に導光できるものであれば良い。また、導光部材を、ケース７と別に成形した場合には、上下のケースの間に挟み込んで固定する場合に限らず、他の固定方法でも良く、光源２からの表示光Ｌを、所定の方向に導光できるものであれば良い。
また、計器ユニット６はコンビネーションメータでなくとも良く、他のメータであっても良い。
光源２は、LED光源を用いる場合に限らず、他の光源であっても良く、３色の光源を組合わせることで、色調を変えるようにすることもできる。
さらに、カウル４の背面の拡散反射部５に光源２から出射される光を左右別々とし、点灯、点滅発光などの制御を制御手段３で行うようにし、ウインカーの消灯忘れが左右のいずれであるかを警告表示できるようにしたり、前方の障害物が車両の左右のいずれ側であるかを警告表示できるようにしても良い。
【符号の説明】
【００４２】
１              車両用計器装置
２              光源
３              制御手段
４              カウル
５              拡散反射部
６              計器ユニット
７              ケース
７ａ            上ケース
７ｂ            下ケース
８              指針
９              文字板
１０            回路基板
１１            駆動部
１２            導光部材
１２Ａ          導光部材
１２Ｂ          導光部材
１２Ｃ          導光部材
１４            突出部材
【図１】
2015087505.tif 000003
【図２】
2015087505.tif 000004
【図４】
2015087505.tif 000005
【図５】
2015087505.tif 000006
【図６】
2015087505.tif 000007
【図７】
2015087505.tif 000008
【図８】
2015087505.tif 000009
【図３】
2015087505.tif 000010